(57)【要約】【課題】  斜め方向から見ても機種等の内容が分かる遊技機を提供すること。【解決手段】  画像が背後から投影される遊技盤６の前方にホログラム効果を有する補助表示用薄膜７を貼付した透視板２を配置する。これにより、遊技機正面の表示画像とは別に、遊技機正面からは見えず、遊技機に対して斜め横方向からは見ることができるホログラム画像を与えることができ、表示画像が見えない斜め横方向にいても遊技機の機種等の情報を得られるようにする。【選択図】    図１
2005211130.tif 000002
【特許請求の範囲】
【請求項１】
遊技機に関連する画像を形成するためのスクリーンを有する遊技盤と、
前記遊技盤の前方に設置され、前記遊技盤の前面を覆う透視板と、
前記スクリーンの視野角外領域に、前記スクリーンに形成される画像とは異なる所定画像を映し出す補助表示手段と、
を有する遊技機。
【請求項２】
前記遊技盤の後方より前記スクリーンに対して画像投影を行うプロジェクタをさらに有することを特徴とする請求項１記載の遊技機。
【請求項３】
前記補助表示手段は、前記透視板の前面又は背面に貼り付けられた薄膜であることを特徴とする請求項１及び請求項２いずれか一項記載の遊技機。
【請求項４】
前記薄膜は、ホログラム特性を有し、前記スクリーンに対して略正面方向に位置する前記スクリーンの視野角内領域から見た場合には実質的に透明であるが、前記視野角外領域から見た場合にはホログラム画像を映し出すことを特徴とする請求項３記載の遊技機。
【請求項５】
前記ホログラム特性は、自然光を利用することによって発生することを特徴とする請求項４記載の遊技機。
【請求項６】
前記補助表示手段は、前記所定画像を所定方向に関して分割した部分画像が個別に形成されるとともに、盤面に対し垂直で前記所定方向に直交する方向に延びる複数の部分表示面を積層して前記所定方向に配列したシート部材であり、当該シート部材は、前記透視板の表面に貼り付けられているか又は前記透視板内に組み込まれていることを特徴とする請求項１及び請求項２いずれか一項記載の遊技機。
【請求項７】
正面を含む所定の非表示角度範囲の方向から見た場合には実質的に透明であるが、それ以外の所定の表示角度範囲の方向から見た場合にはホログラム画像を映し出すよう形成されたホログラムシートを、前記遊技盤の前方を覆う透視板に貼り付ける貼付工程と、
所定光を前記ホログラムシートに照射させることによってホログラム画像を映し出す像再生工程と、
を備える遊技機の画像表示方法。
【発明の詳細な説明】
【技術分野】
【０００１】
本発明は、投射型の表示装置等を備えるパチンコ機その他の遊技機及びその画像表示方法に関する。
【背景技術】
【０００２】
パチンコ機などの遊技機の一態様として、背面投射型の投射装置によって遊技盤の絵柄を映しているものなどが知られている。（特許文献１参照。）
また、パチンコ遊技機として、通常と異なる上記絵柄を映し出すために、バックライトユニットを備えるとともにホログラフィー印刷による図柄薄膜をガラス板に設けたものが知られている。これにより、バックライトを照射したときに通常時と異なる図柄を視認できる。（特許文献２参照。）
このほか、ホログラム技術を表示画面に利用したものとして、携帯型電子機器の表示画面のカバーシールとして透明ホログラムを貼り付けたものも知られている。これにより、使用者以外の者が、表示画面の横から覗き見することを防止できる。（特許文献３参照。）
【特許文献１】特開２００３−２２０１９４号公報
【特許文献２】特開平７−８６０８号公報
【特許文献３】特開平１１−１３３２３３号公報
【発明の開示】
【発明が解決しようとする課題】
【０００３】
従来、上記特許文献１のような遊技機に様々な装飾をするための方法が考えられているが、これらは全て遊技機を使用中の客のために施された技術であり、使用前の、例えば遊技機を選んでいる段階での客に対してのものではない。
【０００４】
しかしながら、特に背面投射型の投射装置によって遊技盤の絵柄を映している遊技機では、投射装置の特性により視野角が限られている。従って、正面からは絵柄即ち表示内容が見えるが、斜め横からでは見にくいという問題点があり、この場合、客が遊技機を選ぶ際に、その遊技機に関する情報等が得にくい。
【０００５】
そこで、本発明は、斜め横からでも遊技機の内容等が分かるように、表示画面（スクリーン）の視野角外の領域にさらに別の所定画面を映し出すことを目的とする。
【課題を解決するための手段】
【０００６】
上記課題を解決するために、本発明に係る遊技機は、遊技機に関連する画像を形成するためのスクリーンを有する遊技盤と、遊技盤の前方に設置され、遊技盤の前面を覆う透視板と、スクリーンの視野角外領域に、スクリーンに形成される画像とは異なる所定画像を映し出す補助表示手段とを有する。
【０００７】
上記遊技機では、スクリーン内の画像を、正面で遊技機使用中の客（以下遊技者）は見ることができる。一方、スクリーンの視野角は通常限られているので、使用中の客以外には、スクリーン内の画像が見にくいという場合が生じる。そこで、本遊技機は、さらに上記透視板とは別に或いは透視板に付随して設けた補助表示手段によってスクリーンの視野角外領域にさらに別の所定画像を映し出す。視野角外領域には、当該遊技機に関する情報またはその他の情報を所定画像として上記スクリーンとは独立に表示させることができる。これにより、遊技機を選んでいる客といったスクリーン視野角外の領域にいる人（以下非遊技者）にも情報提供が行える。
【０００８】
また、本発明における遊技機が、上記遊技盤の後方より上記スクリーンに対して画像投影を行うプロジェクタを有することにより、上記画像を背面投射によって映し出すことが可能となる。この場合、スクリーン視野角が狭くなりがちであるが、比較的広い視野角外領域に多様な画像を表示することができる。
【０００９】
本発明の具体的態様では、上記遊技機における上記補助表示手段は、上記透視板の前面又は背面に貼り付けられた薄膜である。この場合、薄膜によって上記スクリーン内の画像とは別の画像を視野角外領域のある特定方向に対して形成することができる。
【００１０】
さらに具体的には、上記薄膜は、ホログラム特性を有し、上記スクリーンに対して略正面方向に位置する上記スクリーンの視野角内領域から見た場合には実質的に透明であるが、上記視野角外領域から見た場合にはホログラム画像を映し出す。この場合、本遊技機に対し、遊技者は略正面に位置している即ち上記視野角内領域にいるため、上記薄膜は単なる透明の膜に過ぎない。つまり、上記スクリーン内の画像を見ることができる。一方、非遊技者は斜めから即ち上記視野角外領域から本遊技機前面を見ることになるので、上記薄膜の作用によってホログラム画像を見ることができる。
【００１１】
また、この際の一つの態様として、上記ホログラム特性が、自然光を利用することによって発生する。この場合、遊技機が設置されている店内の照明で十分であり、ホログラム発生のためにレーザ光といった特別な光源を用意する必要がない。
【００１２】
本発明の別の具体的態様では、上記補助表示手段は、上記所定画像を所定方向に関して分割した部分画像が個別に形成されるとともに、盤面に対し垂直で前記所定方向に直交する方向に延びる複数の部分表示面を積層して上記所定方向に配列したシート部材であり、当該シート部材は、上記透視板の表面に貼り付けられているか又は上記透視板内に組み込まれている。この場合、遊技者は、略正面に位置しているため、上記部分表示面は細い線状であり、ほとんど認識されない。しかるに、非遊技者は斜めから本遊技機前面を見ることになるので、上記所定方向に傾いた位置において上記部分表示面によって形成される不連続な面が認識でき、その不連続面に表示された画像から情報が得られる。
【００１３】
本発明に係る遊技機の画像表示方法は、正面を含む所定の非表示角度範囲の方向から見た場合には実質的に透明であるが、それ以外の所定の表示角度範囲の方向から見た場合にはホログラム画像を映し出すよう形成されたホログラムシートを、上記遊技盤の前方を覆う透視板に貼り付ける貼付工程と、所定光を前記ホログラムシートに照射させることによってホログラム画像を映し出す像再生工程とを備える。
【００１４】
上記画像表示方法において、上記透視板に貼り付けられた上記ホログラムシートは、正面を含む所定角度範囲に対してはホログラム画像を表示せずただの透明シートであるが、それ以外の所定角度範囲に対しては上記所定光を照射することによってホログラム画像を表示する。これにより、上記ホログラムシートは、略正面から遊技機を見ることになる遊技者に対しては、ホログラム効果を示さず透明である一方、斜め横から遊技機を見ることになる非遊技者に対しては、ホログラム画像を映し出す。
【発明を実施するための最良の形態】
【００１５】
〔第１実施形態〕
図１は、本発明の第１実施形態に係るパチンコ遊技機の正面図である。本パチンコ遊技機は、外観上、内部動作機構を収めるパチンコ遊技機本体部１と、正面の図柄を覆い、遊技者に図柄を視認させる透視板２と、出玉を受ける玉受け３と、さらに余剰に生じる出玉を受ける余剰玉受け４と、玉射出を調節するハンドル５とを備える。本パチンコ遊技機において、遊技内容に関する正面の図柄は、本パチンコ遊技機本体部１内の遊技盤６によって形成される。遊技盤６は、各種遊技で必要となる釘や入賞口等に加え、後述するプロジェクタ機構によって画像を映し出す画像スクリーン１４を備える。
【００１６】
本実施形態においては、特に、透視板２に、後述するホログラムが記録された補助表示用薄膜７が透視板２の前面又は背面に貼付されている。補助表示用薄膜７に記録されたホログラムは、ある特定の方向にのみ画像を形成するように設定されている。
【００１７】
略正面から補助表示用薄膜７に対峙する遊技者に対しては、この補助表示用薄膜７はホログラム効果を示さず、透明な薄膜として存在する。従って、図１に見られるような遊技盤６による図柄が視認できる。一方、非遊技者が横から本パチンコ遊技機を覘いた場合、補助表示用薄膜７のホログラム効果によって遊技盤６による図柄とは別のホログラム画像が見える（詳細は後述）。
【００１８】
図２は、本実施形態に係る遊技機の側断面の概念図である。本遊技機における映像機構は、画像を作り出すためのプロジェクタ機構８と、プロジェクタ機構８によって作り出された画像を含む各種視覚的図柄を表示する画像形成部１３とを備える。
【００１９】
プロジェクタ機構８は、映像を投影するプロジェクタ９と、プロジェクタ９からの投影光Ｌ１を画像表示方向に反射する反射ミラー１０と、反射された投影光Ｌ１を平行光にするフレネルレンズ１１と、スクリーンに投影される投影光Ｌ１をスクリーン上から発散させるレンチキュラシート１２とからなる。
【００２０】
画像形成部１３は、投影光Ｌ１による画像を映し出す画像スクリーン１４と、画像スクリーン１４を内蔵するとともに各種遊技で必要となる釘や入賞口等の表面突起構造物を備えることにより遊戯用の図柄を形成する遊技盤６と、遊技盤６前面に位置し、遊技盤面を遊技者に視認させる透視板２と、透視板２の前面に貼付された補助表示用薄膜７よりなる。
【００２１】
プロジェクタ９より投影された投影光Ｌ１は、遊技盤裏面に設置された反射ミラー１０によって反射され、正面の画像表示方向に向けられる。この場合、反射ミラー１０を用いることにより、パチンコ遊技機本体部１の薄型化が図れる。反射された投影光Ｌ１は、フレネルレンズ１１を介して平行光となり、レンチキュラシート１２を経て適当な発散角で遊技盤６を背面から照射する。
【００２２】
遊技盤６は、画像スクリーン１４を内蔵しており、遊技盤６に照射された投影光Ｌ１は、画像スクリーン１４に映像を映し出す。遊技者は、補助表示用薄膜７が貼付された透視板２越しに、スクリーン画像と遊技盤６の表面パターンや表面突起構造物の像とを含む映像を、遊技盤６による図柄として捉えることができる。
【００２３】
尚、図１においては特に、遊技盤６の中央部に四角に区切られた部分に画像表示がなされているが、投影光Ｌ１は遊技盤６の略全体を照明しており、映像箇所は中央部に限らない。
【００２４】
また、図２（及び図３）において、補助表示用薄膜７は、透視板２の前面に貼付されているが、これは、透視板２の背面であっても構わない。
【００２５】
上記のような方法で、遊技盤上に遊技画像が表示されるが、背面投射型のプロジェクタによる画像表示においては、視野角が限られるのは避けられない。図３は、その様子を説明するためのものである。
【００２６】
図３の視野角内領域Ｄ１は、画像スクリーン１４に映し出されたスクリーン画像Ｐ１の視野角を示している。略正面にいる観察者ＯＡは、スクリーン画像Ｐ１を視認できるが、そこから外れた領域、例えば、視野角外領域Ｄ２にいる観察者ＯＢは見ることができない。つまり、遊技機使用において、遊技者はスクリーン画像Ｐ１を見ることができるが、非遊技者は、視野角内領域Ｄ１から外れたところにいると遊技機の様子が見えない。遊技機を利用するにあたり、遊技機の正面から外れた位置で遊技機の様子が見えないのは、遊技機を選ぶのに非常に不便である。しかし、上述のように、特に背面投射型プロジェクタを使用している以上ある程度視野角が限られるのは避けられない。そこで、視野角外領域Ｄ２に別画像を表示することが可能であるホログラムシートを補助表示用薄膜７として透視板２に貼り付けて、視野角外領域Ｄ２にいる観察者ＯＢに当該遊技機に関する情報を表示する。これにより、スクリーン画像Ｐ１が視認出来ない非遊技者（観察者ＯＢ）も、当該遊技機の内容を把握し、遊技機選択が可能となる。
【００２７】
以下、本実施例における解決手段のために用いられるホログラムについて説明する。ホログラムシートへの記録方法、ホログラムの種類の選択等においては、以下の点に気をつける。
【００２８】
まず、ホログラムは、ある特定の視野角に対してのみ働くものを選ぶ。特に、上述の目的から、ホログラムの作用効果がある表示角度範囲は、スクリーン画像Ｐ１を視認できない領域とすべきである。図３において、スクリーン１４の視野角内領域Ｄ１は、スクリーン画像Ｐ１を視認できる領域であるから、ホログラムの表示角度範囲は、この外領域であるべきである。このようなホログラムの表示角度範囲を示しているのが、図３における視野角外領域Ｄ２である。尚、ホログラムの作用効果がない非表示角度範囲は、スクリーン１４の視野角内領域Ｄ１に対応している。
【００２９】
また、ホログラムは、外界の自然光のみを用いて行えるものとする。これにより、新たな照明設備等を備えることなく遊技機が設置された店内の照明のみで常にホログラム画像が得られる。以上のような条件を満たすものとして、例えば、レインボーホログラムやリップマンホログラムが利用可能である。
【００３０】
上記のようなホログラフィ技術を用いてホログラムシートを作成することにより、所望する補助表示用薄膜７が得られる。図４（ａ）及び（ｂ）は、それぞれ観察者ＯＡ及び観察者ＯＢの視点から見た本パチンコ遊技機の様子を例示したものである。図４（ａ）では、観察者ＯＡ即ち遊技者が、パチンコ遊技機に対して略正面（図３の視野角内領域Ｄ１）にいるので、補助表示用薄膜７は、通常の透明なシートとして働く。よって遊技者は、通常の遊技盤を視認できる。一方、図４（ｂ）では、観察者ＯＢ即ち非遊技者が、パチンコ遊技機の斜め向かい（図３の視野角外領域Ｄ２）にいるので、補助表示用薄膜７は、ホログラムによる特性を示す。よって非遊技者は、補助表示用薄膜７によるホログラム画像を視認する。
【００３１】
尚、本実施形態において、別画像を設けることによって非遊技者に与えられる情報は、当該遊技機に関するもの、としてきたが、画像内容はこれに限る必要はない。例えば、サービス提供者の都合により、宣伝広告といった全く別の情報を載せる、といったこと等も可能である。
【００３２】
また、本実施形態では、ホログラム画像は、自然光のみを用いて行えるものであり、遊技機が設置された店内の照明のみで常にホログラム画像が得られる、としたが、遊技機盤面の側方等から特定の照明光をホログラムに照射することによっても画像形成することが可能である。
【００３３】
また、本実施形態においては遊技機としてパチンコ機の場合について説明しているが、スロットマシーン等他の遊技機に関しても同様の技術を用いることが可能である。
【００３４】
〔第２実施形態〕
第１実施形態において、非遊技者に遊技者とは異なる画像を表示するために、ホログラム特性を有する補助表示用薄膜７を透視板２に貼付する方法を用いた（図１参照）。本実施形態では、非遊技者に対して表示されるべき画像を薄膜面内に収まるよう細く縦長に複数分割し、分割した部分画像を、薄膜面に対しては垂直に、部分画像面同士は平行になるように薄膜内に挟み込むことによって第１実施形態と同様の効果を得ることができる。
【００３５】
図５は、第２実施形態における薄膜又は透視板に施す技術を説明する図である。上記のような薄膜を作成するために、例えば、目的とする画像を等倍又は横方向に拡大して表面にプリントした透明シート２７を準備し、かかるシートを、図５（ａ）の横方向に関して細かく切断する。切断箇所が、図５（ａ）において点線Ｓ１で示されており、切断によって多数のストリップ２７ａが形成される。
【００３６】
各ストリップ２７ａは、図５（ａ）の縦方向に長く延びており、これに沿って細長く裁断された分割画像Ｐ２が形成されている。
【００３７】
次に、図５（ｂ）に見られるように、分割されたストリップ２７ａを各分割画像Ｐ２が積層するように貼付し、全体を熱処理等によって圧着する。略正面に位置する遊技者にとって、接合部Ｓ２は、極細の縦線であり、ほとんど視認できない一方、斜めから見る非遊技者には、貼付された分割画像Ｐ２が、図５（ｂ）に示すような状態で配列される。つまり、貼付された分割画像Ｐ２のひとつひとつが、斜めから見ることによって少しずつずれて視認され、全体でひとつの画像を形成する（例えば、図４（ｂ）に例示する画像）。形成された画像には、非遊技者のための遊技機に関する情報が載せられている。
【００３８】
これによって、略正面にいる遊技者は、分割画像Ｐ２によって新たに形成された画像を気にすることなく通常通り遊技機を利用できる一方、斜め方向から遊技機を見る非遊技者には、分割画像Ｐ２の合成によって遊技者が見るものとは別の画像（例えば遊技機の機種や概要に関する情報を含む画像）を視認できる。
【００３９】
本技術は、透視板２に貼り付ける薄膜に対して行われているが、同様の手法で透視板２を形成することも可能である。この場合、図５（ｂ）に示す構造を有する厚手の板材によって透視板２を形成し、これに貼付する薄膜は不要となる。
【００４０】
尚、第２実施形態において、別画像を設けることによって非遊技者に与えられる情報は、当該遊技機に関するものに限る必要はなく、例えば、宣伝広告といった全く別の情報を載せる、といったこと等も可能である。
【００４１】
また、本実施形態においては遊技機としてパチンコ機を用いているが、スロットマシーン等他の遊技機に関しても同様の技術を用いることが可能である。
【図面の簡単な説明】
【００４２】
【図１】第１実施形態の遊技機の正面図である。
【図２】図１に示す遊技機の側断面図である。
【図３】プロジェクタ投影画像の視野角内の領域及びホログラムの作用領域を示す図である。
【図４】（ａ）、（ｂ）は、遊技機のスクリーン画像及びホログラムによる画像を示す図である。
【図５】（ａ）、（ｂ）第２実施形態における薄膜又は透視板に施す技術を説明する図である。
【符号の説明】
【００４３】
２…透視板、  ６…遊技盤、  ７…補助表示用薄膜、  ９…プロジェクタ、  １４…画像スクリーン、  ２７…透明シート、  ＯＡ、ＯＢ…観察者
【図１】
2005211130.tif 000003
【図２】
2005211130.tif 000004
【図３】
2005211130.tif 000005
【図４】
2005211130.tif 000006
【図５】
2005211130.tif 000007